(57)【要約】【課題】アイシャドウ用の化粧料とアイライン用の化粧料それぞれを良好に（綺麗に）塗布することを可能としながらも、目蓋の化粧に要する時間と手間を効果的に軽減することができる化粧用ブラシを提供すること。【解決手段】柄（１１）と、当該柄（１１）の長手方向の一端に設けたブラシ部（１２）とを備える化粧用ブラシ（１０）であって、ブラシ部（１２）は、その幅方向の一部に設けた第１毛束部（１２ａ）と、幅方向の他の一部に設けた第２毛束部（１２ｂ）とを少なくとも含む。そして、第１毛束部（１２ａ）を構成する毛（１３ａ）と第２毛束部（１２ｂ）を構成する毛（１３ｂ）は、互いの硬さが異なる毛であることで、アイシャドウ用の化粧料とアイライン用の化粧料とを一度の作業で塗布することができる。【選択図】図１
2018099207.tif 000002
【特許請求の範囲】
【請求項１】
柄と、前記柄の長手方向の一端に設けたブラシ部とを備える化粧用ブラシであって、
前記ブラシ部は、その幅方向の一部に設けた第１毛束部と、前記幅方向の他の一部に設けた第２毛束部とを少なくとも含み、
前記第１毛束部を構成する毛と前記第２毛束部を構成する毛は、互いの硬さが異なる毛である
ことを特徴とする化粧用ブラシ。
【請求項２】
前記第１毛束部を構成する毛と前記第２毛束部を構成する毛は、互いの太さが異なる毛である
ことを特徴とする請求項１に記載の化粧用ブラシ。
【請求項３】
前記第１毛束部を構成する毛と前記第２毛束部を構成する毛は、互いの色が異なる毛である
ことを特徴とする請求項１又は２に記載の化粧用ブラシ。
【請求項４】
前記ブラシ部は、前記幅方向の一部に設けた前記第１毛束部と前記幅方向の残りの部分に設けた前記第２毛束部のみで構成されており、
前記第１毛束部の領域の方が前記第２毛束部の領域よりも大きな領域であり、
前記第１毛束部を構成する毛よりも前記第２毛束部を構成する毛の方が硬い毛である
ことを特徴とする請求項１乃至３のいずれか１項に記載の化粧用ブラシ。
【請求項５】
前記化粧用ブラシは、目蓋にアイシャドウ用の化粧料を塗布するためのアイシャドウ用ブラシであり、
前記第１毛束部で目蓋にアイシャドウ用の化粧料である第１化粧料が塗布され、前記第２毛束部で目蓋の下縁に沿ってアイライン用の化粧料である第２化粧料が塗布されるように構成した
ことを特徴とする請求項４に記載の化粧用ブラシ。
【請求項６】
化粧料収容部に載置される化粧料パレットに収容してなる化粧料と、
ブラシ載置部に載置される請求項４に記載の化粧用ブラシと、を備える化粧用コンパクトであって、
前記化粧料パレットに収容してなる化粧料は、前記第１毛束部で塗布するための第１化粧料と、前記第２毛束部で塗布するための第２化粧料とを含み、
前記柄の幅方向における前記第１毛束部の領域と前記第２毛束部の領域それぞれに対して、前記化粧料パレット内の前記第１化粧料の領域と前記第２化粧料の領域とがそれぞれ対応している
ことを特徴とする化粧用コンパクト。
【請求項７】
前記化粧用ブラシは、目蓋にアイシャドウ用の化粧料を塗布するためのアイシャドウ用ブラシであり、
前記第１化粧料は、目蓋の略全体に塗布するアイシャドウ用の化粧料であり、
前記第２化粧料は、目蓋の下縁に沿って塗布するアイライン用の化粧料である
ことを特徴とする請求項６に記載の化粧用コンパクト。
【発明の詳細な説明】
【技術分野】
【０００１】
本発明は、アイシャドウ用の化粧料などを塗布するために用いる化粧用ブラシ、及び当該化粧用ブラシを備えた化粧用コンパクトに関する。
【背景技術】
【０００２】
目の目蓋を化粧をする手法として、目蓋に陰影を付けるためにアイシャドウ用の化粧料を塗布することが行われている。また、目蓋の下の縁（まつ毛の生え際周辺）にアイライン用の化粧料で線を描くことによって、目の形をくっきり大きく見せることも行われている。
【０００３】
従来、例えば特許文献１に示すように、このような目の目蓋に化粧をするための化粧料塗布具として、目蓋にアイシャドウ用の化粧料を塗布するアイシャドウ用の化粧用ブラシがある。その一方で、目蓋の下縁（まつ毛の生え際）に沿ってアイラインを引くためには、アイシャドウ用の化粧用ブラシとは別のアイライン用の塗布具が用いられている。すなわち、アイシャドウ用の化粧用ブラシで目蓋の略全体にアイシャドウを塗布し、その後、アイライン用の塗布具で目蓋の下縁に沿ってアイラインを引くことによって目蓋の化粧をする。このように、アイシャドウ用の化粧料の塗布に適した塗布具と、アイライン用の化粧料の塗布に適した塗布具を使い分けて目蓋の化粧をすることが一般的である。
【先行技術文献】
【特許文献】
【０００４】
【特許文献１】特開２０１５−２１７１６９号公報
【発明の概要】
【発明が解決しようとする課題】
【０００５】
しかしながら、目蓋の化粧に要する時間と手間を軽減するためには、上記のようなアイシャドウを塗布する作業とアイラインを引く作業をより効率的に行うことができるようにすることが望ましい。
【０００６】
本発明は上述の点に鑑みてなされたものであり、その目的は、アイシャドウ用の化粧料とアイライン用の化粧料それぞれを良好に（綺麗に）塗布することを可能としながらも、目蓋の化粧に要する時間と手間を効果的に軽減することができる化粧用ブラシ及び化粧用コンパクトを提供することにある。
【課題を解決するための手段】
【０００７】
上記課題を解決するため、本発明にかかる化粧用ブラシは、柄（１１）と、当該柄（１１）の長手方向の一端に設けたブラシ部（１２）とを備える化粧用ブラシ（１０）であって、ブラシ部（１２）は、その幅方向の一部に設けた第１毛束部（１２ａ）と、幅方向の他の一部に設けた第２毛束部（１２ｂ）とを少なくとも含み、第１毛束部（１２ａ）を構成する毛（１３ａ）と第２毛束部（１２ｂ）を構成する毛（１３ｂ）は、互いの硬さが異なる毛であることを特徴とする。
【０００８】
本発明にかかる化粧用ブラシによれば、ブラシ部に、互いの毛束部を構成する毛の硬さが異なる第１毛束部と第２毛束部とを少なくとも含むことで、例えば、第１毛束部でアイシャドウ用の化粧料を塗布し、第２毛束部でアイライン用の化粧料を塗布することができる。これにより、アイシャドウ用の化粧料とアイライン用の化粧料とを一度の作業で塗布することができる化粧用ブラシとなるので、目蓋の化粧に要する時間と手間を効果的に軽減することができる化粧用ブラシとなる。
【０００９】
そして、上記の化粧用ブラシでは、第１毛束部（１２ａ）を構成する毛（１３ａ）と第２毛束部（１２ｂ）を構成する毛（１３ｂ）は、互いの硬さが異なる毛である。この構成によれば、アイシャドウ用の化粧料の塗布に適した硬さの毛と、アイライン用の化粧料の塗布に適した硬さの毛をそれぞれ用いて化粧料を塗布することが可能となるので、アイシャドウ用の化粧料とアイライン用の化粧料それぞれを更に良好に（より綺麗に）塗布することが可能となる。
【００１０】
また、上記の化粧用ブラシでは、第１毛束部（１２ａ）を構成する毛（１３ａ）と第２毛束部（１２ｂ）を構成する毛（１３ｂ）は、互いの太さを異ならせることで互いの硬さを異ならせたものであってよい。この構成によれば、互いの毛の太さを異ならせるという簡単な構成で、互いの毛の硬さを異ならせることができる。
【００１１】
また、上記の化粧用ブラシでは、第１毛束部（１２ａ）を構成する毛（１３ａ）と第２毛束部（１３ｂ）を構成する毛（１３ｂ）は、互いの色が異なる毛であってもよい。この構成によれば、第１毛束部と第２毛束部の境界を目視で認識することができるようになるので、第１毛束部と第２毛束部のいずれか一方にアイシャドウ用の化粧料を付着させ、いずれか他方にアイライン用の化粧料を付着させることが確実に可能となる。したがって、アイシャドウ用の化粧料とアイライン用の化粧料それぞれを更に良好に（より綺麗に）塗布することが可能となる。
【００１２】
また、上記の化粧用ブラシでは、ブラシ部（１２）は、幅方向の一部に設けた第１毛束部（１２ａ）と幅方向の残りの部分に設けた第２毛束部（１２ｂ）のみで構成されており、第１毛束部（１２ａ）の領域の方が第２毛束部（１２ｂ）の領域よりも大きな領域であり、第１毛束部（１２ａ）を構成する毛（１３ａ）よりも第２毛束部（１２ｂ）を構成する毛（１３ｂ）の方が硬い毛であってよい。
【００１３】
この構成によれば、領域の大きな第１毛束部でアイシャドウ用の化粧料を塗布し、領域の小さな第２毛束部でアイライン用の化粧料を塗布することができる。また、比較的に硬い第２毛束部の毛によって、目蓋の下縁に沿ってアイライン用の化粧料を塗布する際に、アイライン用の化粧料が目蓋の下縁に生えているまつ毛の隙間により確実に入り込んで塗布される、という効果を奏することができる。これにより、より均一な濃さでしっかりしたアイラインを引くことが可能となる。
【００１４】
また、本発明にかかる化粧用コンパクトは、化粧料収容部（２２）に載置される化粧料パレット（２５）に収容してなる化粧料（３１，３２）と、ブラシ載置部（２３）に載置される本発明にかかる上記構成の化粧用ブラシ（１０）と、を備える化粧用コンパクト（２０）であって、化粧料パレット（２５）に収容してなる化粧料（３１，３２）は、第１毛束部（１２ａ）で塗布するためのアイシャドウ用の化粧料である第１化粧料（３１）と、第２毛束部（１２ｂ）で塗布するためのアイライン用の化粧料である第２化粧料（３２）とを含み、ブラシ部（１２）の幅方向における第１毛束部（１２ａ）の領域と第２毛束部（１２ｂ）の領域それぞれに対して、化粧料パレット（２５）内の第１化粧料（３１）の領域と第２化粧料（３２）の領域それぞれが対応していることを特徴とする。
【００１５】
本発明にかかる化粧用コンパクトによれば、化粧用ブラシで化粧料を取る際に、第１毛束部を第１化粧料の上に乗せるとともに、第２毛束部を第２化粧料の上に乗せ、その状態で、第１毛束部と第２毛束部の境界を第１化粧料と第２化粧料の境界に沿って移動させることで、一の作業（動作）のみで、第１毛束部に第１化粧料を付着させ、第２毛束部に第２化粧料を付着させることを簡単かつ確実に行うことができる。したがって、目の化粧に要する時間と手間を効果的に軽減することができる。
なお、上記の括弧内の符号は、後述する実施形態の対応する構成要素の符号を本発明の一例として示したものである。
【発明の効果】
【００１６】
本発明にかかる化粧用ブラシ及び化粧用コンパクトによれば、アイシャドウ用の化粧料とアイライン用の化粧料それぞれを良好に（綺麗に）塗布することを可能としながらも、目の化粧に要する時間と手間を効果的に軽減することができる。
【図面の簡単な説明】
【００１７】
【図１】本発明の一実施形態にかかる化粧用ブラシを示す図である。
【図２】化粧用ブラシ及び化粧料を収容した化粧用コンパクトの全体構成を示す図である。
【図３】化粧用ブラシで目の化粧をする手順を説明するための図である。
【発明を実施するための形態】
【００１８】
以下、添付図面を参照して本発明の実施形態を詳細に説明する。図１は、本発明の一実施形態に係る化粧用ブラシ（化粧料塗布具）１０を示す図で、同図（ａ）は側面図、同図（ｂ）は、同図（ａ）のＢ矢視図である。化粧用ブラシ１０は、柄１１と、当該柄１１の長手方向の一端（先端）に設けたブラシ部（塗布体）１２とを一体に備えて構成されている。
【００１９】
図１（ｂ）に示すように、化粧用ブラシ１０の柄１１の長手方向に対して直交する面の断面形状は薄板状（扁平形状）をなしている。したがって、柄１１はその全体が略長方形状の薄板状に形成されている。また、柄１１の一端１１ａには、凹部（図示せず）が形成されており、この凹部の内底面には、ブラシ部１２を構成する多数本の毛１３（１３ａ，１３ｂ）が接着などの手段により固定されている。なお、柄１１の材料は特に限定されない。柄１１は、合成樹脂により構成されていても良いし、木材など合成樹脂以外の材料により構成されていても良い。
【００２０】
ブラシ部１２は、化粧用ブラシ１０の長手方向に対して直交する方向、すなわち化粧用ブラシ１０の幅方向（図の上下方向）に並んで配置された第１毛束部１２ａと第２毛束部１２ｂとを有している。そして、第１毛束部１２ａを構成する毛１３ａと第２毛束部１２ｂを構成する毛１３ｂは互いの硬さ（太さ）が異なる硬さに設定された毛であり、第１毛束部１２ａを構成する毛１３ａの硬さよりも、第２毛束部１２ｂを構成する毛１３ｂの硬さの方が硬くなっている。すなわち、化粧用ブラシ１０は、構成する毛の硬さが異なる２種類の部分を有している。そして、第１毛束部１２ａを構成する毛１３ａと第２毛束部１２ｂを構成する毛１３ｂは互いの太さが異なっていることで、互いの硬さが異なる硬さとなっている。
【００２１】
また、第１毛束部１２ａを構成する毛１３ａと第２毛束部１２ｂを構成する毛１３ｂは互いの色が異なる色に設定された毛であり、第１毛束部１２ａを構成する毛１３ａの色よりも第２毛束部１２ｂを構成する毛１３ｂの色の方が濃い色となっている。例えば、第１毛束部１２ａの毛１３ａの色を明る目の茶色（ブラウン）とし、第２毛束部１２ｂの毛１３ｂの色を暗い目の茶色（ブラウン）あるいは黒色に近い濃い色とすることができる。これにより、第１化粧用ブラシ１０は、二色の毛を有する二色ブラシとなっている。
【００２２】
また、ブラシ部１２の全体に占める割合は、第１毛束部１２ａ方が第２毛束部１２ｂよりも多くなっている。図１に示す例では、第１毛束部１２ａと第２毛束部１２ｂの割合は、おおよそ８：２〜８．５：１．５程度である。すなわち、図示する化粧用ブラシ１０では、柄１１の幅方向の一方（図の上側）の約８０％〜８５％が第１毛束部１２ａとなっており、柄１１の幅方向の他方（図の下側）の約２０％〜１５％が第２毛束部１２ｂとなっている。
【００２３】
第１毛束部１２ａは、目の目蓋にアイシャドウ用の化粧料３１（図２参照）を塗布するためのものである。一方、第２毛束部１２ｂは、目の目蓋の下縁（まつ毛の生え際のライン）に沿ってアイライン用の化粧料３２（図２参照）を塗布する（アイラインを引く（描く））ためのものである。
【００２４】
ブラシ部１２の毛１３ａ，１３ｂの材料（材質）としては、合成樹脂材を用いることができ、一例として、ＰＢＴ（Polybutylene terephthalate）樹脂とすることができる。そして毛１３ａ，１３ｂの太さは、一例として、第１毛束部１２ａを構成する毛１３ａの太さを０．０５ｍｍとし、第２毛束部１２ｂを構成する毛１３ｂの太さを０．１５ｍｍとすることができる。なお、ブラシ部１２の第１毛束部１２ａ及び第２毛束部１２ｂを構成する毛１３ａ，１３ｂの材質や太さは一例であり、これら以外の材質や太さとすることは勿論可能である。
【００２５】
さらには、第１毛束部１２ａの毛１３ａには、その長手方向に沿う形状が直線状の毛（以下、「ストレート毛」という。）と、その長手方向に沿う形状が若干波状にカーブしている毛（以下、「ウェーブ毛」という。）を混在させることが望ましい。ウェーブ毛は、若干波状にカーブしていることで、毛束にしたときにより全体のボリュームが出やすい（いわゆるふわっとした状態になる）という特徴がある。その一方で、第２毛束部１２ｂの毛１３ｂは、ストレート毛のみで構成することが望ましい。
【００２６】
上記のように構成することで、ストレート毛のみで毛束を構成した第２毛束部１２ｂにより塗布されるアイライン用の化粧料３２は、その色がしっかりと肌に付くのに対して、ストレート毛とウェーブ毛を混在させることで毛束を構成した第１毛束部１２ａにより塗布されるアイシャドウ用の化粧料３１は、目蓋に付けるときに色が薄付きになる、という効果を奏することができる。なお、一例として、第１毛束部１２ａを構成する毛１３ａの約６０％をウェーブ毛とし、約４０％をストレート毛とすることができる。その一方で、第２毛束部１２ｂを構成する毛１３ｂに対しては、その全部（１００％）をストレート毛とすることができる。
【００２７】
図２は、本発明の一実施形態に係る化粧用コンパクト２０を示す図である。本実施形態の化粧用コンパクト２０は、ケース本体２１と、ケース本体２１に対してヒンジ機構５１を介して開閉可能に連結された蓋体４１とを一体に備えて構成されている。
【００２８】
ケース本体２１および蓋体４１は、それぞれ略矩形状（長方形状）の扁平状に形成されている。ケース本体２１に対して蓋体４１が閉じられた状態では、ケース本体２１の上面２１ａが蓋体４１で覆われるので、この蓋体４１によって化粧料パレット２５に収容した化粧料を保護したり、化粧用ブラシ１０の脱落を防止することができる。また、蓋体４１の手前側の端辺には、係止片４１ｂが設けられており、ケース本体２１の手前側の端辺には、ケース本体２１と蓋体４１とが相互に閉じられた状態において係止片４１ｂを係止する係止部２１ｂが設けられている。
【００２９】
図２に示すように、化粧用コンパクト２０は、ケース本体２１を手で持ったり台の上に載置した状態で、蓋体４１をケース本体２１に対して開いて使用することができる。
【００３０】
蓋体４１の下面（裏面）４１ａに設けた凹部４２には、鏡４３が取り付けられている。蓋体４１を開くと、ケース本体２１と蓋体４１とのなす角度が所定の鈍角となって蓋体４１がケース本体２１によって支えられる。これにより、蓋体４１の下面４１ａに形成した凹部４２が手前側斜め上方を向く。使用者は、凹部４２に取り付けた鏡４３に顔を映しながら化粧することができる。
【００３１】
ケース本体２１の上面２１ａにおける奥側（ヒンジ機構５１側）の部分には、化粧料を収容する化粧料収容部２２が設けられている。また、手前側の部分には、化粧用ブラシ１０を寝かせた状態で収容するブラシ載置部２３が設けられている。ブラシ載置部２３は、ケース本体２１の上面２１ａに形成された略長方形状の凹部である。
【００３２】
化粧料収容部２２は、ケース本体２１の上面２１ａに形成された略矩形状の凹部からなる。この化粧料収容部２２には、化粧料パレット２５が載置されている。化粧料パレット２５は、外形が略長方形状に形成された有底容器状である。そして、化粧料パレット２５内をその幅方向（図の上下方向）に沿って二分割する直線状の仮想的な境界線（分割線）３３によって仕切られた奥側（上側）の領域にはアイシャドウとして用いられる化粧料（第１化粧料）３１（３１ａ〜３１ｃ）が収容されており、境界線３３によって仕切られた手前側（下側）の領域には、アイライナーとして用いられる化粧料（第２化粧料）３２が収容されている。さらに、アイシャドウとして用いられる化粧料３１の領域は、仮想的な境界線（分割線）３４ａ，３４ｂによって奥側（上側）から手前側（下側）に向かって三つの領域に仕切られており、これら３つの領域にはそれぞれ相対的に濃さや色の異なる三種類の化粧料３１ａ，３１ｂ，３１ｃが収容されている。
【００３３】
アイシャドウ用の化粧料３１に含まれる三種類の化粧料３１ａ，３１ｂ，３１ｃは、一例として、アイライン用の化粧料３２に近い側（境界線３３に近い側、図の下側）から順に、次第に色の濃さが薄くなるように段階的に色を異ならせたものとすることができる。また、境界線３３で仕切られたアイシャドウ用の化粧料３１の領域とアイライン用の化粧料３２の領域との割合は、一例として、８：２〜８．５：１．５程度とすることができる。
【００３４】
そして、化粧用ブラシ１０の幅方向における第１毛束部１２ａの領域と第２毛束部１２ｂの領域それぞれに対して、化粧料パレット２５内のアイシャドウ用の化粧料３１の領域とアイライン用の化粧料３２の領域とがそれぞれ対応（一致）している。すなわち、化粧用ブラシ１０のブラシ部１２の幅方向（図の上下方向）における境界線１４よりも下側（手前側）の第２毛束部１２ｂの領域に対して化粧料パレット２５内の境界線３３よりも下側（手前側）のアイライン用の化粧料３２の領域が対応しており、化粧用ブラシ１０のブラシ部１２の幅方向における境界線１４よりも上側（奥側）の第１毛束部１２ａの領域に対して化粧料パレット２５内の境界線３３よりも上側（奥側）のアイシャドウ用の化粧料３１の領域が対応している。
【００３５】
次に、上記構成の化粧用ブラシ１０及び化粧用コンパクト２０を用いた化粧方法について説明する。図３は、化粧用ブラシ１０で目の化粧をする手順を説明するための図である。化粧用ブラシ１０で目の化粧をするには、まず、図２に示す化粧用コンパクト２０の蓋体４１を開き、ブラシ載置部２３に載置されている化粧用ブラシ１０を手に取る。そして、化粧料パレット２５に収容されているアイシャドウ用の化粧料３１及びアイライン用の化粧料３２をブラシ部１２に付着させる。このとき、図３（ａ）に示すように、化粧用ブラシ１０を化粧料３１，３２の表面に対して起こした（立てた）状態で、ブラシ部１２の第１毛束部１２ａの先端をアイシャドウ用の化粧料３１の上に乗せるとともに、第２毛束部１２ｂの先端をアイライン用の化粧料３２の上に乗せる。そして、第１毛束部１２ａと第２毛束部１２ｂとの境界線１４が第１化粧料３１と第２化粧料３２との境界線３３に沿って移動するように、ブラシ部１２を化粧料パレット２５の長手方向（図の左右方向）に沿って移動させる。これにより、第１毛束部１２ａにアイシャドウ用の化粧料３１を付着させ、第２毛束部１２ｂにアイライン用の化粧料３２を付着させることができる。
【００３６】
その状態で、第１毛束部１２ａを上側、第２毛束部１２ｂを下側にして、図３（ｂ）に示す閉じた目Ｍの目蓋Ｆの面に対して化粧用ブラシ１０を起こした状態で、ブラシ部１２の先端を目Ｍの目頭Ｍａ近傍の真上位置に当てる。このとき、第２毛束部１２ｂが目蓋Ｆの下縁Ｆａに沿う高さ位置となり、第１毛束部１２ａが目蓋Ｆの下縁Ｆａよりも上側の位置となるように当てる。そして、図３（ｂ）に示すように、そのまま化粧用ブラシ１０を目蓋Ｆに沿って目尻Ｍｂ側に向かって横方向に移動させる。この際、第２毛束部１２ｂで目蓋Ｆの下縁Ｆａ（まつ毛の生え際）をなぞり、まつ毛の隙間を一本のラインでつなげて埋めるようにするとよい。なお、このときのブラシ部１０の横方向への移動は、目頭Ｍａから目尻Ｍｂに向かって片道の移動のみでも良いし、目頭Ｍａと目尻Ｍｂの間を往復移動させてもよい。こうして、アイシャドウ用の化粧料３１とアイライン用の化粧料３２を目蓋に塗布することができる。また、図３（ｂ）では目Ｍを閉じた状態で目蓋Ｆに化粧料３１，３２を塗布する場合を示したが、これ以外にも図示は省略するが、半目を開いた状態で目蓋Ｆに化粧料３１，３２を塗布するようにしてもよい。
【００３７】
これにより、図３（ｂ）に示すように、化粧用ブラシ１０のブラシ部１２を目蓋Ｆの左右に沿って一度移動、ないしは往復移動させる一連の動作だけで、目蓋Ｆの下縁Ｆａ（まつ毛の生え際）に沿ってアイライン用の化粧料３２を塗布し、かつ目蓋Ｆの下縁Ｆａよりも上側の部分にはアイシャドウ用の化粧料３１（３１ａ〜３１ｃ）を塗布することができる。すなわち、アイシャドウ用の化粧料３１の塗布とアイライン用の化粧料３２の塗布（アイラインの形成）とを一度に行うことができる。よって、第１毛束部１２ａおよび第２毛束部１２ｂの各々により、目蓋Ｆの意図した部分に所望の種類の化粧料を塗布することが簡単かつ短時間で行えるようになる。
【００３８】
さらに、アイシャドウ用の化粧料３１は、互いの色又は濃さの異なる三種類の化粧料３１ａ〜３１ｃが配列された構成なので、目蓋Ｆに塗布されたアイシャドウ用の化粧料３１は、目蓋Ｆの下縁Ｆａから上に遠ざかるにつれて次第に色の種類又は濃さが変化する自然なグラデーションが形成される。
【００３９】
以上説明したように、本実施形態の化粧用ブラシ１０によれば、ブラシ部１２に、互いを構成する毛の硬さが異なる第１毛束部１２ａと第２毛束部１２ｂとを含むことで、第１毛束部１２ａでアイシャドウ用の化粧料３１を塗布し、第２毛束部１２ｂでアイライン用の化粧料３２を塗布することができる。これにより、アイシャドウ用の化粧料３１とアイライン用の化粧料３２とを一連の作業（動作）で塗布することができる化粧用ブラシ１０となる。したがって、目の化粧に要する時間と手間を効果的に軽減することができる化粧用ブラシとなる。
【００４０】
そして、この化粧用ブラシ１０では、第１毛束部１２ａを構成する毛１３ａと第２毛束部１２ｂを構成する毛１３ｂは、互いの硬さが異なる毛である。この構成によれば、アイシャドウ用の化粧料３１の塗布に適した硬さの毛と、アイライン用の化粧料３２の塗布に適した硬さの毛をそれぞれ用いて化粧料を塗布することが可能となるので、アイシャドウ用の化粧料３１とアイライン用の化粧料３２それぞれを更に良好に（より綺麗に）塗布することが可能となる。
【００４１】
また、この化粧用ブラシ１０では、第１毛束部１２ａを構成する毛１３ａと第２毛束部１２ｂを構成する毛１３ｂは、互いの色が異なる毛である。この構成によれば、第１毛束部１２ａと第２毛束部１２ｂの境界線１４を目視で認識することができるので、第１毛束部１２ａにアイシャドウ用の化粧料３１のみを付着させ、第２毛束部１２ｂにアイライン用の化粧料３２のみを付着させることが確実に可能となる。これにより、アイシャドウ用の化粧料３１とアイライン用の化粧料３２とが混じってしまうことを防止できる。よって、化粧用ブラシ１０を繰り返し使用した後でも、アイシャドウ用の化粧料３１とアイライン用の化粧料３２それぞれを良好に（綺麗に）塗布することが可能となる。
【００４２】
また、この化粧用ブラシ１０では、ブラシ部１２は、幅方向の一部に設けた第１毛束部１２ａと幅方向の残りの部分に設けた第２毛束部１２ｂのみで構成されており、第１毛束部１２ａの領域の方が第２毛束部１２ｂの領域よりも大きな領域であり、第１毛束部１２ａを構成する毛１３ａよりも第２毛束部１２ｂを構成する毛１３ｂの方が硬い毛である。
【００４３】
この構成によれば、領域の大きな第１毛束部１２ａでアイシャドウ用の化粧料３１を塗布し、領域の小さな第２毛束部１２ｂでアイライン用の化粧料３２を塗布することができる。また、比較的に硬い第２毛束部１２ａの毛１３ａによって、目蓋の下縁に沿ってアイライン用の化粧料３２を塗布する際に、アイライン用の化粧料３２が目蓋の下縁に生えているまつ毛の隙間により確実に入り込んで塗布される、という効果を奏することができる。これにより、より均一な濃さでしっかりしたアイラインを引くことが可能となる。
【００４４】
また、本実施形態の化粧用コンパクト２０によれば、化粧料パレット２５に収容してなる化粧料は、第１毛束部１２ａで塗布するためのアイシャドウ用の化粧料（第１化粧料）３１と、第２毛束部１２ｂで塗布するためのアイライン用の化粧料（第２化粧料）３２とを含み、第１毛束部１２ａの領域と第２毛束部１２ｂの領域に対して、化粧料パレット２５内のアイシャドウ用の化粧料３１の領域とアイライン用の化粧料３２の領域とがそれぞれ対応していることで、化粧用ブラシ１０で化粧料を取る際に、一連の作業（動作）で第１毛束部１２ａにアイシャドウ用の化粧料３１のみを付着させ、第２毛束部１２ｂにアイライン用の化粧料３２のみを付着させることを簡単かつ確実に行うことができる。したがって、アイシャドウ用の化粧料とアイライン用の化粧料それぞれを良好に塗布することを可能としながらも、目蓋の化粧に要する時間と手間を効果的に軽減することができる。
【００４５】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態では、化粧用ブラシ１０のブラシ部１２の構成として、互いを構成する毛の硬さが異なる第１毛束部１２ａと第２毛束部１２ｂの二種類の毛束部のみを備えた構成を示したが、本発明にかかる化粧用ブラシの実施態様としては、これ以外にも、さらに硬さや色の異なる毛で構成された他の毛束部をさらに備え、三種類以上の毛束部で構成するようにしたものであってもよい。
【符号の説明】
【００４６】
１０    化粧用ブラシ
１１    柄
１１ａ    一端
１２    ブラシ部
１２ａ    第１毛束部
１２ｂ    第２毛束部
１３    境界線
１３ａ    毛
１３ｂ    毛
２０    化粧用コンパクト
２１    ケース本体
２１ａ    上面
２１ｂ    係止部
２２    化粧料収容部
２３    ブラシ載置部
２５    化粧料パレット
３１    アイシャドウ用の化粧料（第１化粧料）
３２    アイライン用の化粧料（第２化粧料）
３３    境界線
４１    蓋体
４１ａ    下面
４１ｂ    係止片
４２    凹部
４３    鏡
５１    ヒンジ機構
【図１】
2018099207.tif 000003
【図２】
2018099207.tif 000004
【図３】
2018099207.tif 000005